【事件の表示】
　特許第２９７４４７７号「パチンコ球の払出装置」の特許に対する特許異議の申立てについて、次のとおり決定する。
【結　論】
　訂正を認める。
　特許第２９７４４７７号の特許を維持する。
【理　由】
（１）手続の経緯
　 特許第２９７４４７７号の 請求項１に係る発明は、平成３年１１月１４日に特許出願され、平成１１年９月３日にその設定登録がなされたところ、丹羽美喜子より特許異議の申立がなされ、平成１２年８月７日付けで取消理由通知がなされ、その指定期間内である平成１２年１０月３日に訂正請求がなされたものである。
（２）訂正の適否についての判断
　ａ　訂正の内容
訂正事項１
【請求項１】を下記のように訂正する。
 「パチンコ球が連続して供給される供給通路と、前記供給通路の終端に水平状でかつ該供給通路と直交状に対応するように設けられ該供給通路内に連続するパチンコ球を受け入れる球受棚と、前記球受棚の側方に配置される繰出螺旋体と、前記繰出螺旋体を回転させるモータとからなり、
　前記繰出螺旋体には外周に球送り突条を螺旋状に設けると共に、その球送り突条の溝間に球受棚上のパチンコ球を取込んで強制的に排出通路へ送り出すようにしたことを特徴とするパチンコ球の払出装置。」
訂正事項２
段落【０００６】を下記のように訂正する。
　「【課題を解決するための手段】
上記目的を達成するために本発明のパチンコ球の払出装置は、パチンコ球が連続して供給される供給通路と、前記供給通路の終端に水平状でかつ該供給通路と直交状に対応するように設けられ該供給通路内に連続するパチンコ球を受け入れる球受棚と、前記球受棚の側方に配置される繰出螺旋体と．前記繰出螺旋体を回転させるモータとからなり、前記繰出螺旋体には外周に球送り突条を螺旋状に設けると共に、その球送り突条の溝間に球受棚上のパチンコ球を取込んで強制的に排出通路へ送り出すようにしたものである。」
  ｂ　訂正の目的の適否、新規事項の有無、及び拡張・変更の存否
　訂正事項１は訂正前の請求項１に記載された「球受棚」を「前記供給通路の終端に水平状でかつ該供給通路と直交状に対応するように設けられ該供給通路内に連続するパチンコ球を受け入れる球受棚」に明細書及び図面に記載されていた実施例に即して下位概念に限定したものであり、特許請求の範囲の減縮を目的とし、訂正事項２は前記特許請求の範囲の減縮に伴って、減縮された特許請求の範囲の記載と発明の詳細な説明の記載とを整合させるための明瞭でない記載の釈明を目的とし、これらの訂正事項は、願書に最初に添付した明細書又は図面に記載された事項の範囲内のものであって、実質的に特許請求の範囲を拡張又は変更するものではない。
　ｃ　むすび
　以上のとおりであるから、上記訂正は特許法第１２０条の４第２項及び同条第３項で準用する１２６条第２−４項の規定に適合するので、当該訂正を認める。  
（３）特許異議の申立についての判断
１．本件発明 
  本件特許第２９７４４７７号の請求項１に係る発明（以下、「本件発明」という。）は、訂正明細書の請求項１に記載されたとおりのものである。
２．申立の理由の概要
　特許異議申立人丹羽美喜子は、証拠方法として甲第１号証（特願平３−２２９４８２号（特開平５−４２２４８号）の願書に最初に添付した明細書及び図面）を提出し、本件発明はその出願日前の出願であつて、その出願後に出願公開された甲第１号証に記載された発明と同一であると認められ、しかも、本件発明の発明者が上記先願明細書に記載された発明の発明者と同一であるとも、この出願の時において、その出願人が上記他の出願の出願人と同一であるとも認められないので、本件発明の特許は特許法第２９条の２第１項の規定に違反してなされたものであるから、特許法第１１３条第２号の規定により特許を取り消すべきものである旨主張している。
３．甲第１号証の記載事項
「賞球タンクから流出する賞球を一列に整列して流下させる賞球排出通路の途中に設けられる賞球排出通路において、該賞球排出通路は、その歯が前記賞球排出通路内に臨むように該賞球排出通路と平行に設置されるスパイラル歯車と、該スパイラル歯車を駆動するモータとからなり、前記モータの駆動時に前記スパイラル歯車の歯底に侵入した賞球が前記賞球排出通路の下流側に向かって移動されるようにしたことを特徴とするパチンコ機の賞球排出装置。」（請求項１）、
「．．．部品の長寿命化や賞球のスムーズな排出が図れる。」（段落０００６）、
「．．．スパイラル歯車２が１ピッチ分回転すると、賞球Ｐ１は、１個分前進し、賞球排出通路５の下流側に景品の玉Ｐ２として排出される。．．．」（段落０００８）、
「．．．歯先に受ける球圧を弱めることができるので、賞球排出装置を構成する各部品に対する負荷を軽減させることができる．．．」（段落００１０）、
「．．．賞球タンク１１から流出する賞球を整列させながら流下させる上流側の賞球排出通路１２（以下、上流排出通路１２という）．．．」（段落００１２）、
「．．．図４に示すように、２列の通路１２ａ，１２ｂを有する上流排出通路１２の末端部の中央にスパイラル歯車２を配置し、上流排出通路１２の延長線上にスパイラル歯車２を回転駆動するステッピングモータ７を載置した構成となっている。しかして、通路１２ａ，１２ｂを流下する賞球は．．．スパイラル歯車２の回転によってその歯底に侵入され、下流側に移動する。そして、．．．落下口１９に押し出され．．．」（段落００１５）、
「．．．スパイラル歯車２を介し軸受３にかかる賞球の球圧は、垂直設置に比べ格段に減少するので、スパイラル歯車２に大きな駆動力を必要としない。つまり、本実施例では、スパイラル歯車２に直結されるステッピングモータ７は、小型のものでも良く、これによっても十分スパイラル歯車２を駆動制御することができでる。．．．」（段落００１６）、
「．．．賞球の排出個数や排出速度を自由に設定することができ．．．部品の長寿命化や賞球のスムーズな排出を図ることができる。」（段落００１７）と、記載されている。
４．対比・判断
　本件発明と甲第１号証に記載された発明とを対比すると、甲第１号証に記載された発明には、本件発明を特定する事項である「水平状でかつ該供給通路と直交状に対応するように設けられた球受棚」が記載されていない。そして本件発明は上記事項によって「先頭のパチンコ球を球受棚の上面で受ける構成を採用することによって、供給通路で待機しているパチンコ球の球圧が球受棚に受けられて繰出螺旋体に直接掛からないので該繰出螺旋体を回転させるモータに掛かる負荷を減少することができる。」という明細書記載の作用効果を奏するものと認められる。
　 要するに 、甲１号証に記載された発明では供給通路で待機しているパチンコ球の繰出螺旋体にかかる球圧を賞球排出通路をほぼ水平方向にすることによって減少させているのに対し、本件発明では賞球排出通路は垂直方向に形成し、その供給通路と直交状に対応するように水平状の球受棚を設けることによって繰出螺旋体にかかる球圧を減少させている点で両者は異なっている。
　したがって、 本件発明は甲第１号証に記載された発明と同一ではない。
５．むすび
　以上のとおりであるから、特許異議の申立ての理由及び証拠によっては、本件請求項１に係る発明の特許を取り消すことは出来ない。
　また、他に本件請求項１に係る発明の特許を取り消すべき理由を発見しない。   
　よって、結論のとおり決定する。 
【異議決定日】
平成１２年１１月６日（２０００．１１．６）
【訂正の要旨】
訂正の要旨
特許第２９７４４７７号発明の明細書を以下のとおり訂正する
訂正事項１
特許請求の範囲の請求項１を特許請求の範囲の減縮を目的として、下記のとおりに訂正する。
「パチンコ球が連続して供給される供給通路と、前記供給通路の終端に水平状でかつ該供給通路と直交状に対応するように設けられ該供給通路内に連続するパチンコ球を受け入れる球受棚と、前記球受棚の側方に配置される繰出螺旋体と、前記繰出螺旋体を回転させるモータとからなり、
　前記繰出螺旋体には外周に球送り突条を螺旋状に設けると共に、その球送り突条の溝間に球受棚上のパチンコ球を取込んで強制的に排出通路へ送り出すようにしたことを特徴とするパチンコ球の払出装置。」
訂正事項２
段落【０００６】を明瞭でない記載の釈明を目的として、下記のとおりに訂正する。
「【課題を解決するための手段】
　上記目的を達成するために本発明のパチンコ球の払出装置は、パチンコ球が連続して供給される供給通路と、前記供給通路の終端に水平状でかつ該供給通路と直交状に対応するように設けられ該供給通路内に連続するパチンコ球を受け入れる球受棚と、前記球受棚の側方に配置される繰出螺旋体と．前記繰出螺旋体を回転させるモータとからなり、前記繰出螺旋体には外周に球送り突条を螺旋状に設けると共に、その球送り突条の溝間に球受棚上のパチンコ球を取込んで強制的に排出通路へ送り出すようにしたものである。」
（５４）【発明の名称】
パチンコ球の払出装置
（５７）【特許請求の範囲】
　【請求項１】　パチンコ球が連続して供給される供給通路
と、前記供給通路の終端に水平状でかつ該供給通路と直交状に対応するように設けられた該供給通路内に連絡するパチンコ球を受け入れる
前記球受棚の側方に配置される繰出螺旋体と、前記繰出螺旋体を回転させるモータとからなり
　
前記繰出螺旋体には
【発明の詳細な説明】
　【０００１】
　【発明の属する技術分野】
　本発明は、外周面に球送り突条を螺旋状に設けた繰出螺旋体の回転によってパチンコ球を１個ずつ強制的に払い出すようにしたパチンコ球の払出装置に関するものである。
　【０００２】
　【従来の技術】
　従来、パチンコ球の払出装置としては、例えば図１０に示すように垂直状のパチンコ球の供給通路１０１と、該供給通路１０１に外周一部が臨むように設けられ、かつ、その外周にパチンコ球を一個ずつ嵌入し得る凹状の爪部１０２を有するスプロケット１０３と、該スプロケット１０３を回転させる駆動モータ１０４とを備え、スプロケット１０３をモータ１０４により回転させて所定数のパチンコ球を排出通路１０５に払い出すようにしたものが知られている。
　【０００３】
　【発明が解決しようとする課題】
　従来のパチンコ球の払出装置にあっては、供給通路１０１で列状に待機しているパチンコ球の球圧が直接スプロケット１０３の爪部１０２に掛かっているので、駆動モータ１０４に過大な負荷が掛かり、短期間の使用で駆動モータ１０４が故障することがあった。
　【０００４】
　また、スプロケット１０３の爪部１０２でパチンコ球を一個ずつ区切るようにして排出させるために、スプロケット１０３が摩耗すると球噛みを生じたり払出個数が正確でなくなったりするという問題点があった。
　【０００５】
　本発明は、駆動モータに掛かる負荷を少なくすると共に、パチンコ球を１個ずつ強制的に移送するようにしてその払出動作を正確にすることができるようなパチンコ球の払出装置を提供することを目的としている。
　【０００６】
　【課題を解決するための手段】
　上記目的を達成するために本発明のパチンコ球の払出装置は、パチンコ球が連続して供給される供給通路
と、前記供給通路の終端に水平状でかつ該供給通路と直交状に対応するように設けられた該供給通路内に連続するパチンコ球を受け入れる
前記球受棚の側方に配置される繰出し螺旋体と、前記繰出螺旋体を回転させるモータとからなり
前記繰出螺旋体には
　【０００７】
　このように構成することにより、供給通路に連続して待機しているパチンコ球の球圧は、その先頭のパチンコ球が球受棚に受けられて繰出螺旋体に直接掛からないので、モータに掛かる負荷が減少する。このため、小型モータの使用が可能となって装置全体を小型化することができると共に、払い出し動作がスムーズに行われる。
　【０００８】
　また、繰出螺旋体の回転によって球受棚上のパチンコ球をその繰出螺旋体の球送り突条の溝間に取込んで１個ずつ強制的に移送しながら払い出すものであるから、所定数のパチンコ球を正確に払い出すことが可能となる。
　【０００９】
　【発明の実施の形態】
　次に、本発明をパチンコ機の景品球払出装置に適用した場合の一実施の形態について図面を参照して説明する。なお、本発明は貸球の払出装置にも同じように適用することができる。図１は本発明のパチンコ球の払出装置が適用されるパチンコ機１の裏面図である。パチンコ機１の裏側には、遊技盤１０の裏面全体を覆うように機構板２が配設されており、その遊技盤１０の裏面と相対する機構板２の前面下部に入賞球を集合する入賞球集合部３が形成されている。この入賞球集合部３は入賞球を一列に整列して流下させるようになっており、その途中に通過する入賞球を検出する入賞球検出器４が設けられている。この入賞球検出器４からの信号は図示しない払出制御回路に送られ、後述するパチンコ球の払出装置８の動作を制御する。
　【００１０】
　一方、機構板２の裏側には、パチンコ球を貯留する景品球タンク５が設けられ、該景品球タンク５の下方にパチンコ球を整列して流下させる誘導樋６が設けられている。また、誘導樋６の下流側に垂直状の供給樋７が連設され、この供給樋７の流下端に本発明のパチンコ球の払出装置８が接続される。さらに、払出装置８の下方には払い出されたパチンコ球を機前の球受皿（図示せず）に導く排出樋９が設けられている。
　【００１１】
　次に、図２ないし図６を参照して本実施の形態に係るパチンコ球の払出装置８の構成について説明する。払出装置８は図２及び図３に示すように箱枠状のケース１１を有する。該ケース１１は中空状の右半体１１ａと左半体１１ｂとにより二分割して形成され、その右半体１１ａと左半体１１ｂとを中央に仕切部材１２を介在させて合体させることにより内部に２条の供給通路１３ａ，１３ｂが形成される。
　【００１２】
　前記供給通路１３ａ，１３ｂは、図４及び図５に示すようにその略中間高さ位置にそれぞれ圧抜部１４を突設して蛇行状に形成され、その終端位置に供給通路１３ａ，１３ｂ内に連続する先頭のパチンコ球Ｂ１，Ｂ２を受ける水平状の球受棚１５，１５を設けている（図５参照）。そして、該各球受棚１５，１５の前方には、排出樋９と連通する排出通路１６が形成される。なお、ケース１１を構成する右半体１１ａと左半体１１ｂのほぼ中央にそれぞれ縦方向の仕切壁１７，１７が形成され、両仕切壁１７，１７には、合体によって前記両球受棚１５，１５間に位置する円形孔１８が開設されるように半円状の切欠部１８ａ，１８ａが形成されている。
　【００１３】
　一方、図４に示すように前記仕切壁１７，１７によって区画されるケース１１の中空部内に、モータ取付板１９を介してステッピングモータ２０が取付けられ、そのモータ軸２１の一端は、前記円形孔１８から前方に突出して位置し、その先端に繰出螺旋体２３が固着される。この繰出螺旋体２３は、図４及び図５に示すように両球受棚１５，１５と平行であり、かつ各供給通路１３ａ，１３ｂに対して直交状に対応するような位置配置となっている。
　【００１４】
　また、繰出螺旋体２３は外周に球送り突条２２が螺旋状に少なくとも２周するように設けられており、その球送り突条２２の溝間に球受棚１５，１５の上面に位置するパチンコ球Ｂ１，Ｂ２を取込んで排出通路１６へ強制的に移送可能なように構成されている。
　【００１５】
　なお、前記ステッピングモータ２０のモータ軸２１の他端には検知ホイール２４が取着され、該検知ホイール２４には大径部２４ａと小径部２４ｂが９０度づつ位置を違えて交互に設けられている。また、ケース１１の中空部内に検知ホイール２４と関連づけて検知センサー２６が設けられている。
　【００１６】
　該検知センサー２６は、図６に示すように一定の間隔を離して相対向する一対の検知部２７ａ，２７ｂを有し、両検知部２７ａ，２７ｂ間に前記検知ホイール２４が介入し得るようになっている。そして、一方の検知部２７ａの投光部からこれと対向する他方の検知部２７ｂの受光部へ光が照射され、前記回転する検知ホイール２４の大径部２４ａ，２４ａが介入したときその大径部２４ａにより照射が遮られて検知センサー２６がＯＦＦとなる。また、小径部２４ｂ，２４ｂが介入し受光部に照射されると検知センサー２６がＯＮする。よって繰出螺旋体２３が一回転する間に検知センサー２６が２回ＯＮ，ＯＦＦを繰返し、この信号によってステッピングモータ２０が所定回数回転するように制御される。
　【００１７】
　本発明のパチンコ球の払出装置８は上記構成よりなり、次に図７に基づきその払い出し動作について説明する。なお、供給通路１３ａ側と供給通路１３ｂ側のパチンコ球の払い出し動作は同じであるため、便宜上供給通路１３ａ側のパチンコ球の払い出し動作についてのみ説明する。景品球タンク５のパチンコ球は供給樋７を介して払出装置８の供給通路１３ａ内に連続して待機しており、その先頭のパチンコ球Ｂ１が図７（ａ）に示すように球受棚１５上に受けられて繰出螺旋体２３の球送り突条２２の溝間に嵌まり込んだ状態に置かれる。
　【００１８】
　この状態で、入賞球検出器４が入賞球を検出すると、その検出信号に基づいてステッピングモータ２０が回転を開始し、同時に繰出螺旋体２３が回転する。この繰出螺旋体２３の回転によって、球受棚１５上のパチンコ球Ｂ１は図７（ｂ）に示すように球送り突条２２の溝間に取込まれて球受棚１５上を排出通路１６に向けて強制的に移送される。そして、図７（ｃ）に示すように繰出螺旋体２３が１回転すると球受棚１５上のパチンコ球Ｂ１は球送り突条２２の溝間から解放されると同時に排出通路１６に送り出される。なお、供給通路１３ｂに連続して待機するパチンコ球Ｂ２は供給通路１３ａのパチンコ球Ｂ１と同じように繰出螺旋体２３が１回転するごとに１個ずつ排出通路１６に送り出される。
　【００１９】
　このように、繰出螺旋体２３の回転により排出通路１６に送り出されるパチンコ球は検知センサー２６によって検出される。すなわち、ステッピングモータ２０の他側面の検知ホイール２４が検知部２７ａ，２７ｂ間に介入して検知センサー２６を働かせ、繰出螺旋体２３が何回転したかを検知する。そして、所定数のパチンコ球が排出されると検知センサー２６がステッピングモータ２０の駆動を制御して繰出螺旋体２３の回転を停止させるもので、これによって入賞球検出器４の検出信号ごとに所定数のパチンコ球が正確に排出される。
　【００２０】
　なお、図８および図９はパチンコ球の検出手段の他の実施の形態を示すもので、繰出螺旋体３０の先端部分に一定深さの凹部３１と該凹部３１と連通する一対のスリット３２，３２を設け、また繰出螺旋体３０の凹部３１と対向して検知センサー３３を配設し、その検知センサー３３の検知部３４ａを前記凹部３１内に介入させると共に、繰出螺旋体３０の直下に検知部３４ｂを設けている。
　【００２１】
　この実施の形態では、繰出螺旋体３０の回転中に、スリット３２が検知部３４ａと検知部３４ｂ間に来たときその隙間を介し投光部から受光部へ光が照射され、それ以外は光が凹部３１の内面で遮られることとなり、繰出螺旋体３０が一回転する間に検知センサー３３が２回ＯＮ，ＯＦＦを繰り返してステッピングモータ２０を所定回数回転させるように制御している。この実施の形態の場合は、排出通路１６，１６の間に検知センサー３３を介装するのでその分ケース１１内のスペースを狭めることができ、装置全体をコンパクトに形成できるようになる。
　【００２２】
　【発明の効果】
　本発明は、以上説明したように構成されているので、以下に記載されるような効果を奏する。
　【００２３】
　供給通路の終端に球受棚を設け、該供給通路に連続して待機する先頭のパチンコ球を球受棚の上面で受ける構成を採用することによって、供給通路で待機しているパチンコ球の球圧が球受棚に受けられて繰出螺旋体に直接掛からないので該繰出螺旋体を回転させるモータに掛かる負荷を減少することができる。これによって、小型モータの使用が可能となって装置全体を小型化することができると共に、払い出し動作がスムーズに行われる。
　【００２４】
　また、球受棚の側方に繰出螺旋体を配設し、その繰出螺旋体の外周に螺旋状に設けた球送り突条の溝間に球受棚上のパチンコ球を取込んで強制的に排出通路へ送り出す構成を採用することによって、供給通路で待機するパチンコ球を１個ずつ確実に払い出すことができる。
【図面の簡単な説明】
　【図１】
　本発明のパチンコ球払出装置が適用されるパチンコ機の裏面図。
　【図２】
　パチンコ球排出装置の斜視図。
　【図３】
　図２の分解斜視図。
　【図４】
　図２の中央縦断面図。
　【図５】
　要部の縦断側面図。
　【図６】
　要部の横断平面図。
　【図７】
　（ａ）〜（ｃ）はパチンコ球の払い出し動作を説明する概略図。
　【図８】
　他の実施の形態に係る繰出螺旋体の斜視図。
　【図９】
　図８の繰出螺旋体を使用した払出装置の断面図。
　【図１０】
　従来のパチンコ球払出装置の説明図。
　【符号の説明】
１３ａ，１３ｂ　　供給通路
１５，１５　　　　球受棚
１６　　　　　　　排出通路
２０　　　　　　　ステッピングモータ
２２　　　　　　　球送り突条
２３，３０　　　　繰出螺旋体